(57)【特許請求の範囲】
【請求項１】
回線に接続される通信制御装置と、この通信制御装置を介して前記回線に接続可能な複数の通信端末装置と、を含む通信システムにおいて、
各々の前記通信端末装置は、
所定レベル以上の外部音声を検出する音声検出手段と、
前記音声検出手段の検出結果に基づいて、所定の信号を出力する信号出力手段と、を備え、
前記通信制御装置は、
前記所定の信号に基づいて前記回線を自動的に閉結し、該所定の信号を出力した前記通信端末装置を自動的に通話状態にする自動閉結手段と、
通話状態にある前記通信端末装置から前記回線に通話音声が送出されているか否かを判定するとともに、所定時間内に他の前記通信端末装置から前記所定の信号を受信したか否かを判定する判定手段と、
前記判定手段にて、前記回線に通話音声が送出されておらず、所定時間内に他の前記通信端末装置から前記所定の信号を受信したと判定された場合に、通話状態にある前記通信端末装置の通話状態を解除し、他の前記通信端末装置を通話状態に切り替え制御する切り替え手段と、
を含むことを特徴とする通信システム。
【請求項２】
請求項１記載の通信システムにおいて、
前記通信制御装置は、前記複数の通信端末装置のいずれかに内蔵されること、を特徴とする通信システム。
【請求項３】
請求項１又は請求項２記載の通信システムにおいて、
留守番電話装置を含み、
前記切り替え手段は、前記判定手段にて、前記回線に通話音声が送出されておらず、所定時間内に他の前記通信端末装置から前記所定の信号を受信していないと判定された場合に、通話状態にある前記通信端末装置の通話状態を解除し、前記留守番電話装置を通話状態に切り替え制御することを特徴とする通信システム。
【請求項４】
回線と、所定の信号を出力する複数の通信端末装置に接続される通信制御装置において、
前記所定の信号に基づいて前記回線を自動的に閉結し、該所定の信号を出力した前記通信端末装置を自動的に通話状態にする自動閉結手段と、
通話状態にある前記通信端末装置から前記回線に通話音声が送出されているか否かを判定するとともに、所定時間内に他の前記通信端末装置から前記所定の信号を受信したか否かを判定する判定手段と、
前記判定手段にて、前記回線に通話音声が送出されておらず、所定時間内に他の前記通信端末装置から前記所定の信号を受信したと判定された場合に、通話状態にある前記通信端末装置の通話状態を解除して、他の前記通信端末装置を通話状態に切り替え制御する切り替え手段と、
を有することを特徴とする通信制御装置。
【請求項５】
請求項４記載の通信制御装置を内蔵することを特徴とする通信端末装置。
【発明の詳細な説明】
【０００１】
【発明の属する技術分野】
本発明は、同一回線に接続可能な複数の通信端末装置を含む通信システム、通信制御装置及び通信端末装置に関するものである。
【０００２】
【背景技術】
従来より、外部から引き込んだ同一の電話回線に複数の電話装置を接続可能とする通信システムが知られている。そして、このような通信システムにおいて、現在通話状態にある電話装置とは別の電話装置に回線を切り替えて通話を継続するためには、通話状態にある電話装置にて保留操作や転送操作等を行うことが必要とされる。
【０００３】
また、従来より、所定レベル以上の外部音声が入力されることによって回線を自動閉結して通話状態となし得る音声検出機能付き電話装置も提案されている。
【０００４】
【発明が解決しようとする課題】
しかしながら、このような音声認識機能付き電話装置では、ノイズ等によって音声検出装置が動作し、回線が自動的に閉結されてしまう場合がある。そして、複数台の音声認識機能付き電話装置が同一回線に接続可能とされている場合においては、いずれかの電話装置が、周囲に誰もいない状況でノイズ等を検出して通話状態に陥ると、他の電話装置に切り替えにくい。このため、通話状態の開始から無言応答状態が続くという問題があり、発呼者側に迷惑をかけることがあった。
【０００５】
本発明は、上記課題に鑑みてなされたものであり、その目的は、ノイズ等により意図しない通信端末装置が通話状態とされた場合でも、無言応答状態が長時間続くことを防止し得る通信システム、通信制御装置及び通信端末装置を提供することにある。
【０００６】
【課題を解決するための手段】
上記課題を解決するため、請求項１記載の発明の通信システムは、回線に接続される通信制御装置と、この通信制御装置を介して前記回線に接続可能な複数の通信端末装置と、を含む通信システムであって、各々の前記通信端末装置は、所定レベル以上の外部音声を検出する音声検出手段と、前記音声検出手段の検出結果に基づいて、所定の信号を出力する信号出力手段と、を備え、前記通信制御装置は、前記所定の信号に基づいて前記回線を自動的に閉結し、該所定の信号を出力した前記通信端末装置を自動的に通話状態にする自動閉結手段と、通話状態にある前記通信端末装置から前記回線に通話音声が送出されているか否かを判定するとともに、所定時間内に他の前記通信端末装置から前記所定の信号を受信したか否かを判定する判定手段と、前記判定手段にて、前記回線に通話音声が送出されておらず、所定時間内に他の前記通信端末装置から前記所定の信号を受信したと判定された場合に、通話状態にある前記通信端末装置の通話状態を解除し、他の前記通信端末装置を通話状態に切り替え制御する切り替え手段と、を含むものである。
【０００７】
請求項１記載の発明の通信システムによれば、通信制御装置に判定手段及び切り替え手段が含まれることから、音声検出によっていずれかの通信端末装置が一旦通話状態とされた場合でも、一定条件下で、他の通信端末装置に自動的に切り替えられる。このため、無言応答状態が長時間続く等の、音声検出により意図しない通信端末装置が通話状態とされた場合の弊害を最小限に留めることが可能となる。
【０００８】
請求項２記載の発明の通信システムは、請求項１記載の通信システムにおいて、前記通信制御装置は、前記複数の通信端末装置のいずれかに内蔵されているものである。
【０００９】
請求項２記載の発明の通信システムによれば、通信制御装置が、いずれかの通信端末装置に内蔵されることから、通信システムを構成する装置数を少なくすることができる。このため、装置の設置に必要なスペースが少なくて済む。また、装置の接続作業の簡略化も可能となる。このため、請求項１記載の通信システムと同様の作用効果を発揮し得る通信システムを、より容易に構築することが可能となる。
【００１０】
請求項３記載の発明の通信システムは、請求項１又は請求項２記載の通信システムにおいて、留守番電話装置を含み、前記切り替え手段は、前記判定手段にて、前記回線に通話音声が送出されておらず、所定時間内に他の前記通信端末装置から前記所定の信号を受信していないと判定された場合に、通話状態にある前記通信端末装置の通話状態を解除し、前記留守番電話装置を通話状態に切り替え制御するものである。
【００１１】
請求項３記載の発明の通信システムによれば、所定条件下で留守番電話装置が通話状態に切り替えられることから、音声検出によって意図しない回線閉結が生じた場合であっても、無言応答状態が長時間続くことを確実に防止することができる。このため、より便利な通信システムが得られる。
【００１２】
請求項４記載の発明の通信制御装置は、回線と、所定の信号を出力する複数の通信端末装置に接続される通信制御装置であって、前記所定の信号に基づいて前記回線を自動的に閉結し、該所定の信号を出力した前記通信端末装置を自動的に通話状態にする自動閉結手段と、通話状態にある前記通信端末装置から前記回線に通話音声が送出されているか否かを判定するとともに、所定時間内に他の前記通信端末装置から前記所定の信号を受信したか否かを判定する判定手段と、前記判定手段にて、前記回線に通話音声が送出されておらず、所定時間内に他の前記通信端末装置から前記所定の信号を受信したと判定された場合に、通話状態にある前記通信端末装置の通話状態を解除して、他の前記通信端末装置を通話状態に切り替え制御する切り替え手段と、を有するものである。
【００１３】
請求項４記載の発明の通信制御装置によれば、音声検出により意図しない通信端末装置が通話状態に陥った場合でも、一定条件下で自動的に他の通信端末装置に切り替え得るため、音声検出による弊害を最小限にくい止め得る通信システムを簡単に構築することが可能な通信制御装置を得ることができる。
【００１４】
請求項５記載の発明の通信端末装置は、請求項４記載の通信制御装置を内蔵するものである。
【００１５】
請求項５記載の発明の通信端末装置によれば、通信端末装置に請求項４記載の通信制御装置が内蔵されていることから、音声認識機能が働いている中で、音声検出による弊害を最小限にくい止め得る通信システムを簡単に構築することが可能な通信端末装置を得ることができる。また、通信端末装置と通信制御装置が一体化していることから、少ない装置数で便利な通信システムを実現することが可能となる。
【００１６】
【発明の実施の形態】
次に、本発明の実施の形態を、図面を参照して説明する。
【００１７】
図２は、本発明に係る通信システム及び通信端末装置の構成例を示すブロック図である。
【００１８】
同図において、通信システムは、相互に無線を介して送受信可能な通信端末装置１０，５０ａ，５０ｂから構成される。そして、通信端末装置１０のみが、電話回線に接続され、他の通信端末装置５０ａ，５０ｂは、通信端末装置１０を介して電話回線に接続可能とされる。
【００１９】
より詳しくは、通信端末装置１０におけるマイクロホン１２は、外部音声を取り込み、スピーカ１４は、鳴動音用の音声信号や電話回線から受信した音声信号等を音声として出力する。増幅器１６，１８は、マイクロホン１２から取り込まれた音声信号や、スピーカ１４にて出力されるべき音声信号等を増幅する。
【００２０】
音声検出部２０は、マイクロホン１２から取り込まれた所定レベル以上の音声信号を検出する。この音声検出部２０の構成は、特に問わないが、例えば、フィルタ回路と積分回路と比較器を組み合わせて構成することができる。ここでの検出結果は、制御部３４に送られる。
【００２１】
制御部３４は、通信端末装置１０の全体を制御する。この制御部３４は、例えば、ＣＰＵ、ＲＯＭ、ＲＡＭ、メモリ等を組み合わせて構成することができる。
【００２２】
また、制御部３４は、鳴動指示信号、スキャン信号、通話要求信号などの信号を生成する。これらの信号のうち、鳴動指示信号とは、電話回線から受信した呼び出し信号に基づいて、他の通信端末装置５０ａ、５０ｂを鳴動させるための信号をいう。この鳴動指示信号は、無線送受信部２６ａ、２６ｂを介して通信端末装置５０ａ、５０ｂに送信される。スキャン信号とは、他の通信端末装置５０ａ、５０ｂにて所定レベル以上の外部音声が検出されたか否かをスキャンするために発信される特定周波数の信号をいう。通話要求信号とは、音声検出部２０にて得られた検出結果に基づいて、回線の閉結及び通話開始を要求するための信号をいう。この通話要求信号が所定の信号に相当する。そして、この通話要求信号は、制御部３４の内部にて処理される。
【００２３】
なお、通信端末装置１０自体を鳴動させるための音声信号は、制御部３４の制御の下に鳴動部２７にて生成され、増幅器１８を介してスピーカ１４にて出力される。
【００２４】
ＤＳＰ２２は、アナログ音声信号のディジタル化処理を行い、キー入力部２４は、テンキーや機能キー等を含んで、電話番号や種々の機能設定指示を手動入力可能とする。無線送受信部２６ａ、２６ｂは、各々がアンテナに接続され、他の通信端末装置５０ａ、５０ｂとの間で信号の送受信を行う。ＮＣＵ２８は、電話回線に接続されて、回線の閉結開放処理を行うと共に、閉結時に図示しない交換機との間で信号の送受信を行う。切り替え部３２は、制御部３４の制御に従い、ＮＣＵ２８、無線送受信部２６ａ，２６ｂ、ＤＳＰ２２から出力された信号の送出先を切り替える。
【００２５】
一方、通信端末装置５０ａは、マイクロホン５２と、スピーカ５４と、鳴動部５５と、増幅器５６と、音声検出部５８と、キー入力部６０と、無線送受信部６２と、制御部６４と、を有する。
【００２６】
より詳しくは、マイクロホン５２は外部音声を取り込み、音声検出部５８は、マイクロホン５２にて取り込まれた音声の中から、所定レベル以上の音声信号を検出する。この検出結果は、制御部６４に送られる。鳴動部５５は、制御部６４の制御に従って、鳴動音用の音声信号を出力する。この音声信号は、増幅器５６で増幅されて、スピーカ５４にて鳴動音として出力される。スピーカ５４は、通話音声の出力も行う。アンテナに接続された無線送受信部６２は、他の通信端末装置１０，５０ｂとの間で信号の送受信を行う。キー入力部６０は、テンキー及び機能キーを含み、電話番号等を手動入力可能とする。制御部６４は、通信端末装置５０ａの全体を制御する。また、制御部６４は、通信端末装置１０から受信した鳴動指示信号に基づいて、鳴動部５５に鳴動音用の音声信号を生成させる。制御部６４は、さらに、音声検出部５８の検出結果に基づいて、通話要求信号を生成する。この通話要求信号は、通信端末装置１０からのスキャン信号を待って、無線送受信部６２を介して、通信端末装置１０に向けて発信される。
【００２７】
他の通信端末装置５０ｂは、通信端末装置５０ａと同様の構成を有する。
【００２８】
なお、本実施形態において、通信端末装置１０に含まれるＮＣＵ２８、切り替え部３２，制御部３４が、通信制御装置に相当する。詳しくは、ＮＣＵ２８及び制御部３４が自動閉結手段に相当し、制御部３４が判定手段及び信号出力手段に相当する。そして、切り替え部３２及び制御部３４が切り替え手段に相当する。また、各通信端末装置１０，５０ａ，５０ｂの音声検出部２０，５８が、音声検出手段に相当する。そして、通話要求信号が所定の信号に相当する。
【００２９】
次に、図３は、通信端末装置１０の制御部３４に組み込まれた音声検出による回線閉結プログラムの例を示すフローチャートである。
【００３０】
同図に示すように、通信端末装置１０が、電話回線を通じて、図示しない交換機から出力された呼び出し信号を受信すると（Ｓ１０）、鳴動部２７にて鳴動音用の音声信号が生成され、制御部３４にて鳴動指示信号が生成される。そして、鳴動音用の信号は、スピーカ１４にて鳴動音として出力され、鳴動指示信号は、他の通信端末装置５０ａ、５０ｂに送信される（Ｓ１１）。次に、制御部３４にて、通信端末装置１０内において通話要求信号の有無が判定される（Ｓ１２）。なお、本実施形態では、通信端末装置１０内における通話要求信号の送受信は、制御部３４の内部処理として行われる。ここで、通話要求信号がない場合（Ｓ１２：ＮＯ）には、制御部３４により、他の通信端末装置５０ａ、５０ｂに向けて、スキャン信号が発信される（Ｓ１３）。このスキャン信号に応答して、他の通信端末装置５０ａ、５０ｂのいずれかから通話要求信号が発信され、これを通信端末装置１０が受信すると（Ｓ１４：ＹＥＳ）、制御部３４の制御に基づいて、通信端末装置１０が鳴動を停止する。併せて、鳴動指示信号の発信が停止される（Ｓ１５）。そして、制御部３４が、ＮＣＵ２８を制御して回線を自動閉結し、さらに切り替え部３２を制御して、通話要求信号の出力があった通信端末装置を通話状態とする（Ｓ１６）。
【００３１】
Ｓ１４のステップにおいて、いずれの通信端末装置５０ａ、５０ｂからも応答がない場合（Ｓ１４：ＮＯ）は、呼び出し信号の継続を条件に、Ｓ１２のステップに戻る（Ｓ１７）。Ｓ１７のステップにおいて、呼び出し信号が停止している場合（Ｓ１７：ＮＯ）は、鳴動部２７が停止制御されると共に、鳴動指示信号の発信が停止される（Ｓ１８）。
【００３２】
Ｓ１２のステップにおいて、通話要求が確認された場合（Ｓ１２：ＹＥＳ）は、Ｓ１５のステップに進む。
【００３３】
制御部３４には、さらに、図１のフローチャートに示されるような切り替え制御プログラムも組み込まれている。なお、これは、切り替え制御プログラムの例に過ぎない。
【００３４】
同図において、スタート時点は、図３のエンド時点に一致する。つまり、切り替え制御プログラムは、回線閉結プログラムの終了と同時に開始する。このため、スタート時点において、通信端末装置１０，５０ａ、５０ｂのいずれかが、音声検出に基づいて通話状態となっている。
【００３５】
ここで、仮に、通信端末装置５０ａが通話状態にあるとする。すると、制御部３４は、通信端末装置５０ａから電話回線に対して通話音声が送出されているか否かを判断する（Ｓ１）。この判断方法は特に問わないが、例えば、音声検出部５８を利用することができる。つまり、通話状態開始後も、マイクロホン５２から取り込まれた外部音声が音声検出部５８を通るように設定し、音声検出部５８の検出結果に基づいて、制御部６４が何らかの信号、例えば音声検出した旨の信号もしくは音声未検出となった旨の信号を出力し、この信号の有無によって、制御部３４に通話音声の送出の有無を判断させる。この場合は、特に、音声検出部５８に、鳴動音キャンセル機能や、鳴動開始直前の外部音声に基づいて検出基準を更新する機能などを予め持たせておくと、通話状態開始後も、通話音声の有無を正確に検出することができる。あるいは、通信端末装置５０ａとの信号の送受信を受け持つ無線送受信部２６ａの送受信状況を、制御部３４がモニタすることによって、通話音声の送出の有無を判断してもよい。さらに、ＮＣＵ２８の送受信状況をモニタして、通話音声の有無を判断してもよい。
【００３６】
通信端末装置５０ａから通話音声が送出されていると判断された場合（Ｓ１：ＹＥＳ）は、切り替え制御プログラムを終了する。
【００３７】
一方、通信端末装置５０ａから通話音声が電話回線に送出されていないと判断された場合は、通話状態にない通信端末装置１０，５０ｂから通話要求信号を受信したか否かが判定される（Ｓ２）。この判定に際しては、制御部３４において、図３のフローチャートにおけるＳ１２〜Ｓ１４の一連の処理と同様の処理が行われる。ここで、例えば、通信端末装置５０ｂから通話要求信号を受信した場合には、所定時間の経過を待って（Ｓ３）、制御部３４により切り替え部３２が制御されて、通信端末装置５０ａの通話状態が解除され、通信端末装置５０ｂが通話状態となる（Ｓ４）。
【００３８】
これにより、周囲に人がいないにも関わらず音声応答してしまった状態において、別の通信端末装置付近にいる人がその別の通信端末装置から応答することができ、無言応答状態をつくって発呼者に迷惑をかけることを防止することができる。
【００３９】
なお、Ｓ３のステップにおける所定時間の起点及び長さは、通話状態にある通信端末装置の無言応答状態を確認することができる範囲であって、発呼者に電話を切られないために合理的な範囲で任意に設定し得る。本実施形態では、図３のＳ１６における通話状態の開始時点から、例えば３秒〜５秒程度に設定される。
【００４０】
また、所定時間の経過前（Ｓ３：ＮＯ）は、再度通信端末装置５０ａの通話状況の確認が行われ、通話音声の電話回線への送出が確認されれば、切り替え制御プログラムが終了する（Ｓ７）。確認されなかった場合は、Ｓ３のステップに戻る。
【００４１】
一方、Ｓ２において、通話状態にない通信端末装置１０，５０ｂのいずれからも応答がない場合（Ｓ２：ＮＯ）は、所定時間の経過を待って（Ｓ５）、通信端末装置５０ａの通話状態が解除され、留守番電話装置３０が通話状態に切り替えられる（Ｓ６）。Ｓ５のステップにおける所定時間は、Ｓ３におけると同様に設定される。
【００４２】
これに対し、通信端末装置５０ａ、５０ｂの制御部６４には、例えば、図４のフローチャートに示すような音声検出による通話要求プログラムが組み込まれる。
【００４３】
まず、Ｓ２０のステップにおいて、通信端末装置１０からの鳴動指示信号を受信すると、制御部６４の制御の下、鳴動部５５にて鳴動音用の音声信号が生成・出力され、増幅器５６を経て、スピーカ５４にて鳴動音として出力される（Ｓ２１）。
【００４４】
次に、音声検出部５８にて所定レベル以上の外部音声が検出されると（Ｓ２２：ＹＥＳ）、検出結果が制御部６４に送られ、これに基づいて、制御部６４にて通話要求信号が生成される。そして、通信端末装置１０からのスキャン信号を待って（Ｓ２３：ＹＥＳ）、通信端末装置１０に向けて通話要求信号が発信される（Ｓ２４）。鳴動指示信号が停止すれば（Ｓ２５：ＹＥＳ）、制御部６４によって鳴動部５５が停止制御される（Ｓ２６）。鳴動指示信号が停止しない場合は（Ｓ２５：ＮＯ）、停止するまでＳ２３〜Ｓ２５のステップを繰り返す。
【００４５】
鳴動停止（Ｓ２６）後、通話状態が開始されれば（Ｓ２７：ＹＥＳ）、通話要求プログラムが終了する。一方、通話状態が開始されない場合は（Ｓ２７：ＮＯ）、スキャン信号を受信する限り（Ｓ２８：ＹＥＳ）、何度でも通話要求信号を再発信する（Ｓ２９）。
【００４６】
このような構成を有することから、本実施形態では、音声検出によっていずれかの通信端末装置が一旦通話状態とされた場合でも、所定時間内に他の通信端末装置で音声が検出されれば、回線がそちらに切り替えられる。このため、ノイズ等によって意図しない通信端末装置が通話状態とされた場合でも、通話状態開始後に無言応答状態が長時間続くことを防止することができるので、発呼者に対して迷惑をかけることを防止できる。
【００４７】
また、所定時間内にいずれの通信端末装置からも通話要求がなかった場合に、自動的に留守番電話装置に切り替えられることから、意図しない回線閉結によってどの端末からも応答がなく無言応答状態が長時間続くことを、確実に防止することができる。このため、使用者にとってより便利な通信システム及び通信端末装置が得られる。
【００４８】
さらに、実質的に通信端末装置１０に通信制御装置が内蔵されることから、独立した通信制御装置を使用する場合よりも、通信システムの構築作業が簡単となる。また、通信システムを構築するためのコストの低減化も可能となる。
【００４９】
なお、本発明の実施の形態は、上述の例に限られず、種々の変形が可能である。例えば、通信制御手段を、一つの通信制御装置として独立させることができる。また、通信制御装置等と他の通信端末装置の接続形態は、有線でも無線でもよい。さらに、留守番電話装置は、外付けにすることも、省略することもできる。
【００５０】
【発明の効果】
以上説明したように、請求項１記載の発明の通信システムによれば、通信制御装置に判定手段及び切り替え手段が含まれ、音声検出によっていずれかの通信端末装置が一旦通話状態とされた場合でも、一定条件下で、他の通信端末装置に自動的に切り替えられることから、音声検出により意図しない通信端末装置が通話状態とされた場合の弊害を最小限に留めることが可能となる。
【００５１】
請求項２記載の発明の通信システムによれば、通信制御装置が、いずれかの通信端末装置に内蔵されることから、通信システムを構成する装置数を少なくすることができ、装置の設置に必要なスペースの節約、及び、装置の接続作業の簡略化等が可能となる。このため、請求項１記載の通信システムと同様の作用効果を発揮し得る通信システムを、より容易に構築することが可能となる。
【００５２】
請求項３記載の発明の通信システムによれば、所定条件下で留守番電話装置が通話状態に切り替えられることから、音声検出によって意図しない回線閉結が生じた場合であっても、無言応答状態が長時間続くことを確実に防止することができ、より便利な通信システムが得られる。
【００５３】
請求項４記載の発明の通信制御装置によれば、音声検出により意図しない通信端末装置が通話状態に陥った場合でも、一定条件下で自動的に他の通信端末装置に切り替え得るため、音声検出による弊害を最小限にくい止め得る通信システムを簡単に構築することが可能な通信制御装置を得ることができる。
【００５４】
請求項５記載の発明の通信端末装置によれば、通信端末装置に請求項４記載の通信制御装置が内蔵されていることから、音声認識機能が働いている中で、音声検出による弊害を最小限にくい止め得る通信システムを簡単に構築することが可能な通信端末装置を得ることができる。また、通信端末装置と通信制御装置が一体化していることから、少ない装置数で便利な通信システムを実現することが可能となる。
【図面の簡単な説明】
【図１】制御部３４に組み込まれた切り替え制御プログラムの例を示すフローチャートである。
【図２】本発明に係る通信システム及び通信端末装置の構成例を示すブロック図である。
【図３】通信端末装置１０の制御部３４に組み込まれた音声検出による回線閉結プログラムの例を示すフローチャートである。
【図４】通信端末装置５０ａ、５０ｂの制御部６４に組み込まれた音声検出による通話要求プログラムの例を示すフローチャートである。
【符号の説明】
１０，５０ａ、５０ｂ  通信端末装置
２０，５８  音声検出部（音声検出手段）
３０  留守番電話装置
３４  制御部（信号出力手段、自動閉結手段、判定手段、切り替え手段）
６４  制御部（信号出力手段）
【図１】
0003591335.tif 000002
【図２】
0003591335.tif 000003
【図３】
0003591335.tif 000004
【図４】
0003591335.tif 000005